(57)【特許請求の範囲】
【請求項１】
第１及び第２の映像信号とされる二つの映像信号が供給される第１及び第２の映像信号入力端部と、
上記第１の映像信号が１ライン期間分ずつ順次書き込まれるとともに、書き込まれた上記第１の映像信号の各ライン期間分が、上記第１の映像信号の１／２ライン期間に相当する時間内に読み出されて形成される第１の１／２ライン期間分の映像信号が順次間欠的に得られるラインメモリ部と、
上記第２の映像信号が連続する奇数フィールド期間分及び偶数フィールド期間分で成る１フレーム期間分ずつ順次書き込まれる状態がとられるとともに、書き込まれた上記第２の映像信号の各フレーム期間分に含まれるライン期間分が、上記第１の映像信号の略１／２ライン期間に相当する時間内に間欠的に読み出されて、第２の１／２ライン期間分の映像信号が順次間欠的に得られるフレームメモリ部と、
上記第１の映像信号の各ライン期間に対応する期間毎に、上記ラインメモリ部から得られる第１の１／２ライン期間分の映像信号と上記フレームメモリ部から得られる第２の１／２ライン期間分の映像信号とを選択的に取り出して、表示用映像信号を形成する信号選択部と、
該信号選択部から得られる表示用映像信号に応じて、上記第１の映像信号に基づく画像及び第２の映像信号に基づく画像に夫々対応する二画面画像を表示する二画面画像表示部と、
上記第１及び第２の映像信号入力端部に供給される二つの映像信号の一方がノンインターレース信号であって他方がインターレース信号であるとき、該二つの映像信号のうちのインターレース信号である方のものを常時上記第１の映像信号となすべく、上記二つの映像信号についての伝送状態を制御する信号伝送制御部と、
を備えて構成される画像表示装置。
【請求項２】
信号伝送制御部が、第１の映像信号入力端部に供給される映像信号及び第２の映像信号入力端部に供給される映像信号の夫々についてノンインターレース信号であるかインターレース信号であるかを識別し、識別結果をあらわす識別出力信号を発するインターレース状態識別部を備え、該インターレース状態識別部から得られる識別出力信号に応じて、上記第１の映像信号入力端部に供給される映像信号を第１の映像信号となす状態と、上記第２の映像信号入力端部に供給される映像信号を第１の映像信号となす状態とを選択的にとることを特徴とする請求項１記載の画像表示装置。
【請求項３】
信号伝送制御部が、第１及び第２の映像信号入力端部に供給される二つの映像信号のうちのインターレース信号である方のものをラインメモリ部に供給し、上記二つの映像信号のうちのノンインターレース信号である方のものをフレームメモリ部に供給すべく、上記二つの映像信号についての選択制御を行う映像信号選択制御部を含んで成ることを特徴とする請求項１記載の画像表示装置。
【請求項４】
信号伝送制御部が、第１の映像信号入力端部に供給される映像信号及び第２の映像信号入力端部に供給される映像信号の夫々についてノンインターレース信号であるかインターレース信号であるかを識別し、識別結果をあらわす識別出力信号を発するインターレース状態識別部を備え、映像信号選択制御部が、上記インターレース状態識別部から得られる識別出力信号に応じて、上記第１及び第２の映像信号入力端部に供給される二つの映像信号についての選択制御を行うことを特徴とする請求項３記載の画像表示装置。
【請求項５】
信号選択部が、表示用映像信号を、第１の映像信号入力端部に供給される映像信号に基づく画像が、二画面画像表示部により表示される二画面画像のうちの配置位置が特定された一方として得られるものとして形成することを特徴とする請求項１記載の画像表示装置。
【請求項６】
信号選択部が、第１の映像信号入力端部に供給される映像信号が上記第１の映像信号とされるとき、該第１の映像信号の各ライン期間に対応する期間毎に、ラインメモリ部から得られる第１の１／２ライン期間分の映像信号とフレームメモリ部から得られる第２の１／２ライン期間分の映像信号とを順次取り出す状態をとり、また、第２の映像信号入力端部に供給される映像信号が上記第１の映像信号とされるとき、該第１の映像信号の各ライン期間に対応する期間毎に、上記第２の１／２ライン期間分の映像信号と上記第１の１／２ライン期間分の映像信号とを順次取り出す状態をとることを特徴とする請求項５記載の画像表示装置。
【発明の詳細な説明】
【０００１】
【発明の属する技術分野】
本発明は、二つの独立した映像信号の夫々があらわす画像を、一つの画像表示部の表示面上に、二画面画像として表示する画像表示装置に関する。
【０００２】
【従来の技術】
独立した二つの映像信号の夫々があらわす画像を、一つの画像表示装置を用いて、その画像表示面上に表示する二画面画像表示システムが、画像情報提供の多様化の一環として提案されている。このような二画面画像表示システムにあっては、例えば、画像表示装置として水平走査（ライン走査）と垂直走査（フィールド走査）とが行われる画像表示面を有したものが使用され、その画像表示面に、二つの映像信号の夫々があらわす画像の画面が、ライン走査方向、即ち、左右方向に相互隣接配置されるものとして形成される。
【０００３】
このように、画像表示装置の画像表示面において左右方向に二画面が相互隣接配置されて成る二画面画像の表示を行う場合、例えば、二画面の各々のライン走査方向の寸法が実質的に同等であり、従って、画像表示面の左半分において二つの映像信号のうちの一方である第１の映像信号があらわす画像が表示されるとともに、画像表示面の右半分において二つの映像信号のうちの他方である第２の映像信号があらわす画像が表示されるとして、画像表示装置に供給される表示用映像信号は、その各ライン期間分が、第１の映像信号の１ライン期間（１Ｈ）分を略１／２ライン期間（０．５  Ｈ）に時間軸圧縮した時間軸圧縮映像信号と第２の映像信号の１ライン期間分を略１／２ライン期間に時間軸圧縮した時間軸圧縮映像信号とを合成して形成したものとされることが必要とされる。
【０００４】
斯かる二画面画像表示用映像信号を得るには、例えば、映像信号の１ライン期間分の書込み及び読出しが可能とされるラインメモリを用いて、第１の映像信号を、その各ライン期間分が略１／２ライン期間に時間軸圧縮されるように処理することにより、第１の時間軸圧縮映像信号を得るとともに、映像信号の１フィールド期間（１Ｖ）分が２個（奇数フィールド期間分と偶数フィールド期間分）連なって形成される１フレーム期間（２Ｖ）分の書込み及び読出しが可能とされるフレームメモリを用いて、第２の映像信号を、その各フレーム期間毎に、各ライン期間分が略１／２ライン期間に時間軸圧縮されるように処理することにより、第２の時間軸圧縮映像信号を得て、第１の時間軸圧縮映像信号と第２の時間軸圧縮映像信号とを合成する手法がとられる。
【０００５】
そして、第１の時間軸圧縮映像信号を得るにあたっては、ラインメモリに第１の映像信号を１ライン期間分ずつ順次書き込むとともに、ラインメモリから、書き込まれた各１ライン期間分の映像信号を、略１／２ライン期間に相当する読出し時間をもって読み出すようにし、その際、読出し時間をその開始時点が、第１の映像信号の１ライン期間分の書込み時間の終了時点と一致するように選定する。即ち、図６（横軸：時間，縦軸：ラインメモリ・アドレス）において破線により示される如くに、第１の映像信号の各ライン期間分が順次ラインメモリに書き込まれるとともに、図６において実線により示される如くにして、書き込まれた各ライン期間分が読み出される。この図６において実線により示される各ライン期間分の読出しは、当該ライン期間分の書き込みが終了した時点で開始され、書込み速度の略２倍の速度をもって行われて、実質的に当該ライン期間分の全体の書き込みが終了した時点より略１／２ライン期間後において終了する。従って、ラインメモリからの各ライン期間分の読出しは、略１／２ライン期間に相当する時間ずつ、略１／２ライン期間に相当する間隔をおいて、間欠的に行われることになる。それにより、ラインメモリから第１の時間軸圧縮映像信号が得られる。
【０００６】
また、第２の時間軸圧縮映像信号を得るにあたっては、フレームメモリに、第２の映像信号の各フレーム期間分を形成する奇数フィールド期間分と偶数フィールド期間分とを順次書き込む。そして、フレームメモリから、それに書き込まれた第２の映像信号の各フレーム期間分に含まれる各ライン期間分の映像信号を、略１／２ライン期間に相当する読出し時間をもって読み出すようにする。それにより、フレームメモリから、第２の映像信号の各フレーム期間分についての時間軸圧縮映像信号が、第２の時間軸圧縮映像信号として得られる。
【０００７】
このようにして、ラインメモリから得られる第１の時間軸圧縮映像信号とフレームメモリから得られる第２の時間軸圧縮映像信号とが、例えば、第１の時間軸圧縮映像信号における各１／２ライン期間分に第２の時間軸圧縮映像信号における各１／２ライン期間分が夫々連結されることによって各ライン期間分が形成されるようにして合成される。それにより、各ライン期間分が、その前半が第１の映像信号に基づく第１の時間軸圧縮映像信号とされるとともに、その後半が第２の映像信号に基づく第２の時間軸圧縮映像信号とされて成る、二画面画像表示用映像信号が形成される。
【０００８】
斯かるもとで、第１の映像信号と第２の映像信号とが、互いに独立のものであって相互同期状態にないことから、二画面画像表示用映像信号の形成に際して、第１の時間軸圧縮映像信号と第２の時間軸圧縮映像信号との同期状態が問題となる。そこで、例えば、第１の映像信号についてのラインメモリへの書込みが、第１の映像信号に含まれる同期信号に基づいて形成されるタイミング信号に従って行われるとともに、第２の映像信号についてのフレームメモリへの書込みが、第２の映像信号に含まれる同期信号に基づいて形成されるタイミング信号に従って行われ、それに対して、ラインメモリからの第１の映像信号の各ライン期間分についての読出し、及び、フレームメモリからの第２の映像信号の各フレーム期間分に含まれる各ライン期間分についての読出しが、いずれも、第１の映像信号に含まれる同期信号に基づいて形成されるタイミング信号に従って行われるようにされて、ラインメモリから得られる第１の時間軸圧縮映像信号とフレームメモリから得られる第２の時間軸圧縮映像信号とが相互同期状態におかれる。
【０００９】
このようにして、第２の映像信号については、メモリ部への書込みが第２の映像信号に含まれる同期信号に基づいて形成されるタイミング信号に従って行われ、メモリ部からのライン期間分毎の読出しが、第２の映像信号とは相互同期状態にない第１の映像信号に含まれる同期信号に基づいて形成されるタイミング信号に従って行われるので、第２の映像信号の書込み及び読出しにはフレームメモリが用いられる。
【００１０】
【発明が解決しようとする課題】
上述の如くにして二画面画像表示用映像信号が形成されるにあたっては、フレームメモリにおいて、第２の映像信号の各フレーム期間分毎の書込みは、その第２の映像信号に含まれる同期信号に基づいて形成されるタイミング信号に従って行われるが、書き込まれた各フレーム期間分に含まれるライン期間分についての読出しが、ラインメモリへの書込みがなされる第１の映像信号に含まれる同期信号に基づいて形成されるタイミング信号に従って行われる。従って、第１の映像信号がインターレース方式に基づく映像信号（インターレース信号）でないノンインターレース信号とされるとともに、第２の映像信号がインターレース信号とされるときには、フレームメモリにおいて、それに書き込まれたインターレース信号である第２の映像信号の各フレーム期間分に含まれるライン期間分についての読出しが、ノンインターレース信号である第１の映像信号に含まれる同期信号に基づいて形成されるタイミング信号に従って行われることになる。
【００１１】
斯かる際、ノンインターレース信号である第１の映像信号は、各フレーム期間分を形成する２フィールド期間分は、インターレース信号である第２の映像信号の各フレーム期間分を形成する奇数フィールド期間分及び偶数フィールド期間分に見られる如くの同期関係上の相違がなく、同期条件が同一のものとされている。それゆえ、このようなノンインターレース信号である第１の映像信号に含まれる同期信号に基づいて形成される、フレームメモリからそれに書き込まれたインターレース信号である第２の映像信号の各フレーム期間分に含まれるライン期間分を読み出すためのタイミング信号は、第１の映像信号における各フィールド期間毎に同じものとされて得られる。
【００１２】
その結果、フレームメモリからそれに書き込まれたインターレース信号である第２の映像信号の各フレーム期間分に含まれるライン期間分の読出しは、ノンインターレース信号である第１の映像信号に含まれる同期信号に基づいて形成されるタイミング信号により、フレームメモリに書き込まれた第２の映像信号の各フレーム期間分を形成する２フィールド期間分のうちの一方に含まれるライン期間分が、繰り返して読み出される状態のもとで行われて、フレームメモリに書き込まれた第２の映像信号の各フレーム期間分を形成する２フィールド期間分のうちの他方に含まれるライン期間分については、読出しが行われないことになる。
【００１３】
即ち、フレームメモリに、第２の映像信号の各フレーム期間分が、それに含まれる各ライン期間分の書込みが、例えば、図７（横軸：時間，縦軸：フレームメモリ・ラインアドレス）において破線により示される如くに、ラインアドレスの０〜Ａｆ（Ａｆは１フレーム期間内のライン期間の数に相当する）に対応するメモリ領域が用いられて書き込まれるととともに、フレームメモリからの、それに書き込まれた第２の映像信号の各フレーム期間分に含まれる各ライン期間分の読出しが、図７において実線により示される如くに、ラインアドレスの０〜Ａｆ／２（Ａｆは１／２フレーム期間、即ち、１フィールド期間内のライン期間の数に相当する）に対応するメモリ領域を読出し対象として、２度繰り返して行われる。従って、この場合には、フレームメモリに書き込まれた第２の映像信号の各フレーム期間分に含まれる各ライン期間分のうちの、奇数フィールド期間分に含まれるもののみが２度繰り返して読み出され、偶数フィールド期間分に含まれるものは読み出されない。
【００１４】
それゆえ、フレームメモリから得られる第２の時間軸圧縮映像信号が、第２の映像信号の各フレーム期間分を形成する奇数フィールド期間分及び偶数フィールド期間分のうちの奇数フィールド期間分のみに基づくものとなってしまい、斯かる第２の時間軸圧縮映像信号を含む二画面画像表示用映像信号に基づいて画像表示装置により表示される二画面画像のうちの、第２の時間軸圧縮映像信号に基づく画像が、垂直解像度が低下し、動きが不自然なものとなってしまう虞がある。
【００１５】
斯かる点に鑑み、本発明は、ラインメモリ部を用いて、第１の映像信号をその各ライン期間分が略１／２ライン期間に時間軸圧縮されたものとなすことにより、第１の時間軸圧縮映像信号を得るとともに、第１の映像信号に含まれる同期信号を基準タイミングを設定するものとしたもとで、フレームメモリ部を用いて第２の映像信号をその各フレーム期間毎に各ライン期間分が略１／２ライン期間に時間軸圧縮されたものとなすことにより、第２の時間軸圧縮映像信号を得て、第１の時間軸圧縮映像信号と第２の時間軸圧縮映像信号とを合成することにより二画面画像表示用映像信号を得るにあたり、第１の映像信号及び第２の映像信号とされる二つの映像信号の一方がノンインターレース信号であって他方がインターレース信号である場合においても、それら二つの映像信号に基づいて形成される二画面画像表示用映像信号を、それに基づいて画像表示部により表示される二画面画像のいずれもが、垂直解像度の低下を生じることなく、動きが不自然な画像等とされないものとなすことができる画像表示装置を提供する。
【００１６】
【課題を解決するための手段】
本発明に係る画像表示装置は、第１及び第２の映像信号とされる二つの映像信号が供給される第１及び第２の映像信号入力端部と、第１の映像信号の各ライン期間分についての時間軸圧縮読出しがなされて形成される第１の１／２ライン期間分の映像信号が順次間欠的に得られるラインメモリ部と、第２の映像信号の各フレーム期間分に含まれるライン期間分についての時間軸圧縮読出しがなされて形成される第２の１／２ライン期間分の映像信号が順次間欠的に得られるフレームメモリ部と、ラインメモリ部から得られる第１の１／２ライン期間分の映像信号とフレームメモリ部から得られる第２の１／２ライン期間分の映像信号とを取り出して、表示用映像信号を形成する信号選択部と、信号選択部から得られる表示用映像信号に応じて、第１及び第２の映像信号の各々があらわす画像に夫々対応する二画面画像を表示する二画面画像表示部とが備えられたもとで、第１及び第２の映像信号入力端部に供給される二つの映像信号の一方がノンインターレース信号であって他方がインターレース信号であるとき、二つの映像信号のうちのインターレース信号である方のものを常時第１の映像信号となすべく、二つの映像信号についての伝送状態を制御する信号伝送制御部が設けられて構成される。
【００１７】
上述の如くに構成される本発明に係る画像表示装置にあっては、信号伝送制御部により、第１の映像信号入力端部に供給される映像信号がインターレース信号であって、第２の映像信号入力端部に供給される映像信号がノンインターレース信号であるときには、第１の映像信号入力端部に供給されるインターレース信号である映像信号が、第１の映像信号とされてラインメモリ部に供給されるとともに、第２の映像信号入力端部に供給されるノンインターレース信号である映像信号が、第２の映像信号とされてフレームメモリ部に供給され、また、第１の映像信号入力端部に供給される映像信号がノンインターレース信号であって、第２の映像信号入力端部に供給される映像信号がインターレース信号であるときには、第２の映像信号入力端部に供給されるインターレース信号である映像信号が、第１の映像信号とされてラインメモリ部に供給されるとともに、第１の映像信号入力端部に供給されるノンインターレース信号である映像信号が、第２の映像信号とされてフレームメモリ部に供給されることになる、第１及び第２の映像信号入力端部に供給される二つの映像信号についての伝送制御が行われる。
【００１８】
それにより、第１及び第２の映像信号入力端部に供給される二つの映像信号の一方がノンインターレース信号であって他方がインターレース信号である場合には、常時、二つの映像信号のうちのインターレース信号である方のものが、第１の映像信号とされ、ラインメモリ部において各ライン期間分についての時間軸圧縮読出しがなされて第１の１／２ライン期間分の映像信号を形成するものとされるとともに、二つの映像信号のうちのノンインターレース信号である方のものが、第２の映像信号とされ、フレームメモリ部において各フレーム期間分に含まれるライン期間分についての時間軸圧縮読出しがなされて第２の１／２ライン期間分の映像信号を形成するものとされる。
【００１９】
その結果、ラインメモリ部から得られる第１の１／２ライン期間分の映像信号とフレームメモリ部から得られる第２の１／２ライン期間分の映像信号とが供給される信号選択部からの表示用映像信号（二画面画像表示用映像信号）は、第１の映像信号、即ち、第１及び第２の映像信号入力端部に供給される二つの映像信号のうちのインターレース信号である方のものが基準とされて形成されることになる。従って、このような二画面画像表示用映像信号に応じて二画面画像表示部により表示される二画面画像においては、インターレース信号とされる第１の映像信号があらわす画像が、その各フレーム期間分を形成する奇数フィールド期間分及び偶数フィールド期間分のうちの一方のみに基づくものとされることになる事態が回避され、必ずその各フレーム期間分を形成する奇数フィールド期間分及び偶数フィールド期間分の両者に基づくものとされて、二画面画像を形成する二つの画像の夫々が、垂直解像度の低下を生じることなく、また、動きが不自然なものとされることなく、適正に得られることになる。
【００２０】
【発明の実施の形態】
図１は、本発明に係る画像表示装置の一例を示す。
【００２１】
図１に示される例においては、映像信号入力端子１０及び１１に互いに独立した二つの映像信号ＳＶ１及びＳＶ２が供給される。その際、映像信号ＳＶ１が映像信号入力端子１０に供給されるとともに映像信号ＳＶ２が映像信号入力端子１１に供給される状態、あるいは、映像信号ＳＶ１が映像信号入力端子１１に供給されるとともに映像信号ＳＶ２が映像信号入力端子１０に供給される状態とされる。映像信号ＳＶ１及びＳＶ２は、それらのうちの一方、例えば、映像信号ＳＶ１がインターレース信号であって、それらのうちの他方、即ち、映像信号ＳＶ２がノンインターレース信号である関係にあるものとされる。
【００２２】
映像信号入力端子１０及び１１からの映像信号ＳＶ１及びＳＶ２は、映像信号選択制御部１２に供給される。映像信号選択制御部１２は、映像信号ＳＶ１及びＳＶ２のうちのインターレース信号である映像信号ＳＶ１を、それが映像信号入力端子１０を通じて供給されるとき及び映像信号入力端子１１を通じて供給されるときのいずれにおいても、第１の映像信号として、アナログ／ディジタル変換部（Ａ／Ｄ変換部）１３に供給するとともに、映像信号ＳＶ１及びＳＶ２のうちのノンインターレース信号である映像信号ＳＶ２を、それが映像信号入力端子１１を通じて供給されるとき及び映像信号入力端子１０を通じて供給されるときのいずれにおいても、第２の映像信号として、Ａ／Ｄ変換部１４に供給することになる、映像信号ＳＶ１及びＳＶ２についての伝送制御を行う。
【００２３】
Ａ／Ｄ変換部１３に供給された映像信号ＳＶ１は、Ａ／Ｄ変換部１３においてディジタル化され、ディジタル映像信号ＤＶ１とされてラインメモリ部１５に供給される。Ａ／Ｄ変換部１４に供給された映像信号ＳＶ２は、Ａ／Ｄ変換部１４においてディジタル化され、ディジタル映像信号ＤＶ２とされてフレームメモリ部１６に供給される。フレームメモリ部１６は、フィールドメモリ部１７とフィールドメモリ部１８とによって構成されている。
【００２４】
また、映像信号選択制御部１２から得られる映像信号ＳＶ１が、同期信号分離部１９に供給されるとともに、映像信号選択制御部１２からの映像信号ＳＶ２が、同期信号分離部２０に供給される。同期信号分離部１９においては、映像信号ＳＶ１からそれに含まれる水平同期信号（ライン同期信号）ＰＨ１及び垂直同期信号（フィールド同期信号）ＰＶ１が分離され、それらがタイミング信号形成部２１に供給される。同様に、同期信号分離部２０においては、映像信号ＳＶ２からそれに含まれる水平同期信号ＰＨ２及び垂直同期信号ＰＶ２が分離され、それらがタイミング信号形成部２２に供給される。
【００２５】
さらに、映像信号入力端子１０からの映像信号ＳＶ１及び映像信号入力端子１１からの映像信号ＳＶ２の両者、もしくは、映像信号入力端子１０からの映像信号ＳＶ２及び映像信号入力端子１１からの映像信号ＳＶ１の両者が、インターレース状態識別部２３に供給される。インターレース状態識別部２３においては、映像信号入力端子１０からの映像信号（映像信号ＳＶ１もしくは映像信号ＳＶ２）についてのインターレース信号であるかノンインターレース信号であるかの識別、及び、映像信号入力端子１１からの映像信号（映像信号ＳＶ２もしくは映像信号ＳＶ１）についてのインターレース信号であるかノンインターレース信号であるかの識別が行われる。そして、識別結果をあらわす識別信号ＣＭが、インターレース状態識別部２３からタイミング信号形成部２１に供給される。
【００２６】
インターレース状態識別部２３から得られる識別信号ＣＭは、映像信号入力端子１０からの映像信号がインターレース信号であって、映像信号入力端子１１からの映像信号がノンインターレース信号であるとき、即ち、映像信号入力端子１０に映像信号ＳＶ１が供給されているとともに映像信号入力端子１１に映像信号ＳＶ２が供給されている状態にあるとき、例えば、正極性を有する信号とされ、また、映像信号入力端子１０からの映像信号がノンインターレース信号であって、映像信号入力端子１１からの映像信号がインターレース信号であるとき、即ち、映像信号入力端子１０に映像信号ＳＶ２が供給されているとともに映像信号入力端子１１に映像信号ＳＶ１が供給されている状態にあるとき、例えば、負極性を有する信号とされる。
【００２７】
なお、映像信号入力端子１０からの映像信号及び映像信号入力端子１１からの映像信号の両者がインターレース信号もしくはノンインターレース信号であるとき、即ち、例えば、映像信号入力端子１０及び１１の両者に映像信号ＳＶ１が供給されている状態、もしくは、映像信号入力端子１０及び１１の両者に映像信号ＳＶ２が供給されている状態がとられるときには、インターレース状態識別部２３からの識別信号ＣＭは、例えば、正極性を有するものとされる。
【００２８】
タイミング信号形成部２１にあっては、同期信号分離部１９からの水平同期信号ＰＨ１及び垂直同期信号ＰＶ１に同期するものとされる、ラインメモリ部１５に対する書込み用タイミング信号ＷＬ及び読出し用タイミング信号ＲＬ，フィールドメモリ部１７に対する読出し用タイミング信号ＲＦ１，フィールドメモリ部１８に対する読出し用タイミング信号ＲＦ２、及び、選択制御信号ＳＳ，ＳＭ及びＳＮが形成される。その際、インターレース状態識別部２３からの識別信号ＣＭが正極性を有しているときには、ラインメモリ部１５に供給される読出し用タイミング信号ＲＬが、ラインメモリ部１５からそれに書き込まれた信号についての時間軸圧縮読出しを、映像信号ＳＶ１における各ライン期間内の前半の略１／２ライン期間において行うためのものとされ、また、フィールドメモリ部１７に供給される読出し用タイミング信号ＲＦ１が、フィールドメモリ部１７からのそれに書き込まれた信号についての時間軸圧縮読出しを、映像信号ＳＶ１における各ライン期間内の後半の略１／２ライン期間において行うためのものとされるとともに、フィールドメモリ部１８に供給される読出し用タイミング信号ＲＦ２が、フィールドメモリ部１８からのそれに書き込まれた信号についての時間軸圧縮読出しを、映像信号ＳＶ１における各ライン期間内の後半の略１／２ライン期間において行うためのものとされる。
【００２９】
一方、インターレース状態識別部２３からの識別信号ＣＭが負極性を有しているときには、ラインメモリ部１５に供給される読出し用タイミング信号ＲＬが、ラインメモリ部１５からそれに書き込まれた信号についての時間軸圧縮読出しを、映像信号ＳＶ１における各ライン期間内の後半の略１／２ライン期間において行うためのものとされ、また、フィールドメモリ部１７に供給される読出し用タイミング信号ＲＦ１が、フィールドメモリ部１７からのそれに書き込まれた信号についての時間軸圧縮読出しを、映像信号ＳＶ１における各ライン期間内の前半の略１／２ライン期間において行うためのものとされるとともに、フィールドメモリ部１８に供給される読出し用タイミング信号ＲＦ２が、フィールドメモリ部１８からのそれに書き込まれた信号についての時間軸圧縮読出しを、映像信号ＳＶ１における各ライン期間内の前半の略１／２ライン期間において行うためのものとされる。
【００３０】
さらに、タイミング信号形成部２１においては、インターレース状態識別部２３からの識別信号ＣＭが正極性を有しているとき、低レベルをとる選択制御信号ＳＳと選択制御信号ＳＭとが送出され、それに対して、インターレース状態識別部２３からの識別信号ＣＭが負極性を有しているときには、高レベルをとる選択制御信号ＳＳと選択制御信号ＳＮとが送出される。
【００３１】
タイミング信号形成部２１から得られる選択制御信号ＳＳは、映像信号選択制御部１２に供給される。映像信号選択制御部１２は、選択制御信号ＳＳが低レベルをとるとき、従って、インターレース状態識別部２３からの識別信号ＣＭが正極性を有しており、映像信号入力端子１０に映像信号ＳＶ１が供給されているとともに映像信号入力端子１１に映像信号ＳＶ２が供給されている状態にあるとき、映像信号入力端子１０からの映像信号ＳＶ１をＡ／Ｄ変換部１３に供給するとともに映像信号入力端子１１からの映像信号ＳＶ２をＡ／Ｄ変換部１４に供給する。また、映像信号選択制御部１２は、選択制御信号ＳＳが高レベルをとるとき、従って、インターレース状態識別部２３からの識別信号ＣＭが負極性を有しており、映像信号入力端子１０に映像信号ＳＶ２が供給されているとともに映像信号入力端子１１に映像信号ＳＶ１が供給されている状態にあるとき、映像信号入力端子１０からの映像信号ＳＶ２をＡ／Ｄ変換部１４に供給するとともに映像信号入力端子１１からの映像信号ＳＶ１をＡ／Ｄ変換部１３に供給する。
【００３２】
タイミング信号形成部２２にあっては、同期信号分離部２０からの水平同期信号ＰＨ２及び垂直同期信号ＰＶ２に同期するものとされる、フィールドメモリ部１７に対する書込み用タイミング信号ＷＦ１及びフィールドメモリ部１８に対する書込み用タイミング信号ＷＦ２が形成される。フィールドメモリ部１７に供給される書込み用タイミング信号ＷＦ１は、フィールドメモリ部１７に対するディジタル映像信号ＤＶ２の各フレーム期間分を形成する二つのフィールド期間分のうちの一方の書込みを順次行うためのものとされ、また、フィールドメモリ部１８に供給される書込み用タイミング信号ＷＦ２は、フィールドメモリ部１８に対するディジタル映像信号ＤＶ２の各フレーム期間分を形成する二つのフィールド期間分のうちの他方の書込みを順次行うためのものとされる。
【００３３】
Ａ／Ｄ変換部１３からのディジタル映像信号ＤＶ１が供給されるラインメモリ部１５においては、タイミング信号形成部２１からの書込み用タイミング信号ＷＬ及び読出し用タイミング信号ＲＬが供給され、書込み用タイミング信号ＷＬに応じて、ディジタル映像信号ＤＶ１が１ライン期間分ずつ順次書き込まれるとともに、読出し用タイミング信号ＲＬに応じて、書き込まれた各ライン期間分のディジタル映像信号ＤＶ１が、略１／２ライン期間に相当する読出し時間をもって時間軸圧縮されて読み出される。
【００３４】
その際、インターレース状態識別部２３からの識別信号ＣＭが正極性を有しているとき、即ち、映像信号入力端子１０に映像信号ＳＶ１が供給されているとともに映像信号入力端子１１に映像信号ＳＶ２が供給されている状態にあるときには、読出し用タイミング信号ＲＬが、略１／２ライン期間に相当する読出し時間を、その開始時点が読み出されるディジタル映像信号ＤＶ１の１ライン期間分についての書込み時間の終了時点と一致する、映像信号ＳＶ１における各ライン期間分の前半の略１／２ライン期間とするものとされる。また、インターレース状態識別部２３からの識別信号ＣＭが負極性を有しているとき、即ち、映像信号入力端子１０に映像信号ＳＶ２が供給されているとともに映像信号入力端子１１に映像信号ＳＶ１が供給されている状態にあるときには、読出し用タイミング信号ＲＬが、略１／２ライン期間に相当する読出し時間を、その終了時点が読み出されるディジタル映像信号ＤＶ１の１ライン期間分についての書込み時間の終了時点と一致する、映像信号ＳＶ１における各ライン期間分の後半の略１／２ライン期間とするものとされる。
【００３５】
従って、ラインメモリ部１５におけるディジタル映像信号ＤＶ１についての書込み及び時間軸圧縮読出しは、インターレース状態識別部２３からの識別信号ＣＭが正極性を有しているとき、即ち、映像信号入力端子１０に映像信号ＳＶ１が供給されているとともに映像信号入力端子１１に映像信号ＳＶ２が供給されている状態にあるときには、図２（横軸：時間，縦軸：ラインメモリ・アドレス）において破線により示される如くに、ディジタル映像信号ＤＶ１の各ライン期間分が順次書き込まれるとともに、図２において実線により示される如くにして、書き込まれた各ライン期間分が時間軸圧縮されて読み出される状態のもとに行われる。即ち、ディジタル映像信号ＤＶ１の各ライン期間分の時間軸圧縮読出しが、当該ライン期間分の全部が書き込まれた時点で開始され、書込み速度の略２倍の速度をもって行われて、開始後略１／２ライン期間が経過した時点において終了するようにされる。
【００３６】
また、インターレース状態識別部２３からの識別信号ＣＭが負極性を有しているとき、即ち、映像信号入力端子１０に映像信号ＳＶ２が供給されているとともに映像信号入力端子１１に映像信号ＳＶ１が供給されている状態にあるときには、図３（横軸：時間，縦軸：ラインメモリ・アドレス）において破線により示される如くに、ディジタル映像信号ＤＶ１の各ライン期間分が順次書き込まれるとともに、図３において実線により示される如くにして、書き込まれた各ライン期間分が時間軸圧縮されて読み出される状態のもとに行われる。即ち、ディジタル映像信号ＤＶ１の各ライン期間分の時間軸圧縮読出しが、当該ライン期間分の略１／２が書き込まれた時点で開始され、書込み速度の略２倍の速度をもって行われて、開始後略１／２ライン期間が経過した時点において、当該ライン期間分の全部の書込みの終了と共に終了するようにされる。
【００３７】
その結果、ラインメモリ部１５からの各ライン期間分の時間軸圧縮読出しは、略１／２ライン期間に相当する時間ずつ、略１／２ライン期間に相当する間隔をおいて、間欠的に行われることになり、ラインメモリ部１５から、ディジタル映像信号ＤＶ１の各ライン期間分が略１／２ライン期間に相当する時間内のディジタル映像信号に時間軸圧縮されて形成される１／２ライン期間ディジタル映像信号ＤＸ１が、順次間欠的に得られる。
【００３８】
一方、Ａ／Ｄ変換部１４からのディジタル映像信号ＤＶ２が供給されるフレームメモリ部１６においては、ディジタル映像信号ＤＶ２がフィールドメモリ部１７及びフィールドメモリ部１８の両者に供給される。そして、フィールドメモリ部１７には、タイミング信号形成部２２からの書込み用タイミング信号ＷＦ１と、タイミング信号形成部２１からの読出し用タイミング信号ＲＦ１とが供給される。
【００３９】
それにより、フィールドメモリ部１７においては、書込み用タイミング信号ＷＦ１に応じて、ディジタル映像信号ＤＶ２における各フレーム期間分を形成する二つのフィールド期間分のうちの一方が、それに含まれる複数のライン期間分ずつ順次書き込まれるとともに、読出し用タイミング信号ＲＦ１に応じて、書き込まれた各ライン期間分が、映像信号ＳＶ１における略１／２ライン期間に相当する読出し時間をもって時間軸圧縮されて読み出される。また、フィールドメモリ部１８においては、書込み用タイミング信号ＷＦ２に応じて、ディジタル映像信号ＤＶ２における各フレーム期間分を形成する二つのフィールド期間分のうちの他方が、それに含まれる複数のライン期間分ずつ順次書き込まれるとともに、読出し用タイミング信号ＲＦ２に応じて、書き込まれた各ライン期間分が、映像信号ＳＶ１における略１／２ライン期間に相当する読出し時間をもって時間軸圧縮されて読み出される。即ち、フィールドメモリ部１７及び１８において、ディジタル映像信号ＤＶ２における各フレーム期間分を形成する二つのフィールド期間分の各々に含まれる各ライン期間分についての時間軸圧縮読出しが行われるのである。
【００４０】
斯かる際、インターレース状態識別部２３からの識別信号ＣＭが正極性を有しているとき、即ち、映像信号入力端子１０に映像信号ＳＶ１が供給されているとともに映像信号入力端子１１に映像信号ＳＶ２が供給されている状態にあるときには、読出し用タイミング信号ＲＦ１に応じてなされる、フィールドメモリ部１７からのディジタル映像信号ＤＶ２における各フレーム期間分を形成する二つのフィールド期間分のうちの一方に含まれる各ライン期間分についての時間軸圧縮読出しが、映像信号ＳＶ１における各ライン期間内の後半の略１／２ライン期間において行われるとともに、読出し用タイミング信号ＲＦ２に応じてなされる、フィールドメモリ部１８からのディジタル映像信号ＤＶ２における各フレーム期間分を形成する二つのフィールド期間分のうちの他方に含まれる各ライン期間分についての時間軸圧縮読出しが、映像信号ＳＶ１における各ライン期間内の後半の略１／２ライン期間において行われる。
【００４１】
また、インターレース状態識別部２３からの識別信号ＣＭが負極性を有しているとき、即ち、映像信号入力端子１０に映像信号ＳＶ２が供給されているとともに映像信号入力端子１１に映像信号ＳＶ１が供給されている状態にあるときには、読出し用タイミング信号ＲＦ１に応じてなされる、フィールドメモリ部１７からのディジタル映像信号ＤＶ２における各フレーム期間分を形成する二つのフィールド期間分のうちの一方に含まれる各ライン期間分についての時間軸圧縮読出しが、映像信号ＳＶ１における各ライン期間内の前半の略１／２ライン期間において行われるとともに、読出し用タイミング信号ＲＦ２に応じてなされる、フィールドメモリ部１８からのディジタル映像信号ＤＶ２における各フレーム期間分を形成する二つのフィールド期間分のうちの他方に含まれる各ライン期間分についての時間軸圧縮読出しが、映像信号ＳＶ１における各ライン期間内の前半の略１／２ライン期間において行われる。
【００４２】
その結果、フィールドメモリ部１７から、ディジタル映像信号ＤＶ２における各フレーム期間分を形成する二つのフィールド期間分のうちの一方に含まれるライン期間分が、映像信号ＳＶ１における略１／２ライン期間に相当する時間内のディジタル映像信号に時間軸圧縮されて形成されることになる１／２ライン期間ディジタル映像信号ＤＸ２Ｏが、順次間欠的に得られるとともに、フィールドメモリ部１８から、ディジタル映像信号ＤＶ２における各フレーム期間分を形成する二つのフィールド期間分のうちの他方に含まれるライン期間分が、映像信号ＳＶ１における略１／２ライン期間に相当する時間内のディジタル映像信号に時間軸圧縮されて形成されることになる１／２ライン期間ディジタル映像信号ＤＸ２Ｅが、順次間欠的に得られる。
【００４３】
ラインメモリ部１５から得られる１／２ライン期間ディジタル映像信号ＤＸ１は、ディジタル映像信号選択制御部２４に供給され、また、フレームメモリ部１６を形成するフィールドメモリ部１７及びフィールドメモリ部１８から夫々得られる１／２ライン期間ディジタル映像信号ＤＸ２Ｏ及び１／２ライン期間ディジタル映像信号ＤＸ２Ｅは、１／２ライン期間ディジタル映像信号ＤＸ２として、ディジタル映像信号選択制御部２４に供給される。そして、ディジタル映像信号選択制御部２４には、タイミング信号形成部２１からの選択制御信号ＳＳが供給される。
【００４４】
ディジタル映像信号選択制御部２４は、タイミング信号形成部２１からの選択制御信号ＳＳが低レベルをとるとき、従って、インターレース状態識別部２３からの識別信号ＣＭが正極性を有しており、映像信号入力端子１０に映像信号ＳＶ１が供給されているとともに映像信号入力端子１１に映像信号ＳＶ２が供給されている状態にあるとき、ラインメモリ部１５からの１／２ライン期間ディジタル映像信号ＤＸ１を、信号選択部２５の選択接点２５Ａに供給するとともに、フレームメモリ部１６からの１／２ライン期間ディジタル映像信号ＤＸ２を、信号選択部２５の選択接点２５Ｃに供給し、また、タイミング信号形成部２１からの選択制御信号ＳＳが高レベルをとるとき、従って、インターレース状態識別部２３からの識別信号ＣＭが負極性を有しており、映像信号入力端子１０に映像信号ＳＶ２が供給されているとともに映像信号入力端子１１に映像信号ＳＶ１が供給されている状態にあるとき、ラインメモリ部１５からの１／２ライン期間ディジタル映像信号ＤＸ１を、信号選択部２５の選択接点２５Ｃに供給するとともに、フレームメモリ部１６からの１／２ライン期間ディジタル映像信号ＤＸ２を、信号選択部２５の選択接点２５Ａに供給する動作を行う。そして、信号選択部２５における選択接点２５Ａと選択接点２５Ｃとの間に設けられた選択接点２５Ｂには、画像ミュート信号発生部２６からのディジタル画像ミュート信号ＤＭが供給される。
【００４５】
信号選択部２５は、タイミング信号形成部２１からの選択制御信号ＳＭと選択制御信号ＳＮとの両者により制御される。そして、インターレース状態識別部２３からの識別信号ＣＭが正極性を有しており、映像信号入力端子１０に映像信号ＳＶ１が供給されているとともに映像信号入力端子１１に映像信号ＳＶ２が供給されている状態にあるときには、タイミング信号形成部２１から選択制御信号ＳＭが信号選択部２５に供給される。選択制御信号ＳＭが供給される信号選択部２５にあっては、映像信号ＳＶ１の奇数フィールド期間及び偶数フィールド期間の夫々に対応する期間において、映像信号ＳＶ１における略１／２ライン期間だけ可動接点２５Ｄが選択接点２５Ａに接続され、その後、極めて短時間だけ可動接点２５Ｄが選択接点２５Ｂに接続され、さらに、映像信号ＳＶ１における略１／２ライン期間だけ可動接点２５Ｄが選択接点２５Ｃに接続される状態が繰り返される状態がとられる。
【００４６】
それにより、信号選択部２５においては、映像信号ＳＶ１における各奇数フィールド期間に対応して、選択接点２５Ａに供給される１／２ライン期間ディジタル映像信号ＤＸ１が略１／２ライン期間だけ可動接点２５Ｄに取り出され、それに続いて、選択接点２５Ｂに供給される画像ミュート信号ＤＭが極めて短時間可動接点２５Ｄに取り出された後、選択接点２５Ｃに供給されるフレームメモリ部１６におけるフィールドメモリ部１７からの１／２ライン期間ディジタル映像信号ＤＸ２Ｏが略１／２ライン期間だけ可動接点２５Ｄに取り出される状態が繰り返される。それにより、信号選択部２５における可動接点２５Ｄに、奇数フィールド期間分のディジタル映像信号が得られる。
【００４７】
また、映像信号ＳＶ１における各偶数フィールド期間に対応して、選択接点２５Ａに供給される１／２ライン期間ディジタル映像信号ＤＸ１が略１／２ライン期間だけ可動接点２５Ｄに取り出され、それに続いて、選択接点２５Ｂに供給される画像ミュート信号ＤＭが極めて短時間可動接点２５Ｄに取り出された後、選択接点２５Ｃに供給されるフレームメモリ部１６におけるフィールドメモリ部１８からの１／２ライン期間ディジタル映像信号ＤＸ２Ｅが略１／２ライン期間だけ可動接点２５Ｄに取り出される状態が繰り返される。それにより、信号選択部２５における可動接点２５Ｄに、偶数フィールド期間分のディジタル映像信号が得られる。
【００４８】
これに対して、インターレース状態識別部２３からの識別信号ＣＭが負極性を有しており、映像信号入力端子１０に映像信号ＳＶ２が供給されているとともに映像信号入力端子１１に映像信号ＳＶ１が供給されている状態にあるときには、タイミング信号形成部２１から選択制御信号ＳＮが信号選択部２５に供給される。選択制御信号ＳＮが供給される信号選択部２５にあっては、映像信号ＳＶ１の奇数フィールド期間及び偶数フィールド期間の夫々に対応する期間において、映像信号ＳＶ１における略１／２ライン期間だけ可動接点２５Ｄが選択接点２５Ａに接続され、その後、極めて短時間だけ可動接点２５Ｄが選択接点２５Ｂに接続され、さらに、映像信号ＳＶ１における略１／２ライン期間だけ可動接点２５Ｄが選択接点２５Ｃに接続される状態が繰り返される状態がとられる。
【００４９】
それにより、信号選択部２５においては、映像信号ＳＶ１における各奇数フィールド期間に対応して、選択接点２５Ａに供給されるフレームメモリ部１６におけるフィールドメモリ部１７からの１／２ライン期間ディジタル映像信号ＤＸ２Ｏが略１／２ライン期間だけ可動接点２５Ｄに取り出され、それに続いて、選択接点２５Ｂに供給される画像ミュート信号ＤＭが極めて短時間可動接点２５Ｄに取り出された後、選択接点２５Ｃに供給される１／２ライン期間ディジタル映像信号ＤＸ１が略１／２ライン期間だけ可動接点２５Ｄに取り出される状態が繰り返される。それにより、信号選択部２５における可動接点２５Ｄに、奇数フィールド期間分のディジタル映像信号が得られる。
【００５０】
また、映像信号ＳＶ１における各偶数フィールド期間に対応して、選択接点２５Ａに供給されるフレームメモリ部１６におけるフィールドメモリ部１８からの１／２ライン期間ディジタル映像信号ＤＸ２Ｅが略１／２ライン期間だけ可動接点２５Ｄに取り出されるとともに、それに続いて、選択接点２５Ｂに供給される画像ミュート信号ＤＭが極めて短時間可動接点２５Ｄに取り出された後、選択接点２５Ｃに供給される１／２ライン期間ディジタル映像信号ＤＸ１が略１／２ライン期間だけ可動接点２５Ｄに取り出される状態が繰り返される。それにより、信号選択部２５における可動接点２５Ｄに、偶数フィールド期間分のディジタル映像信号が得られる。
【００５１】
このようにして、インターレース状態識別部２３からの識別信号ＣＭが正極性を有しており、映像信号入力端子１０に映像信号ＳＶ１が供給されているとともに映像信号入力端子１１に映像信号ＳＶ２が供給されている状態にあるとき、及び、インターレース状態識別部２３からの識別信号ＣＭが負極性を有しており、映像信号入力端子１０に映像信号ＳＶ２が供給されているとともに映像信号入力端子１１に映像信号ＳＶ１が供給されている状態にあるときの夫々において、信号選択部２５の可動接点２５Ｄに導出される、奇数フィールド期間分のディジタル映像信号及び偶数フィールド期間分のディジタル映像信号は、ディジタル／アナログ変換部（Ｄ／Ａ変換部）２７に供給されて、アナログ化が施され、二画面画像表示用映像信号ＳＺとされる。
【００５２】
Ｄ／Ａ変換部２７から得られる二画面画像表示用映像信号ＳＺは、低域通過フィルタ（ＬＰＦ）２８を通じてノイズ成分が除去された後、二画面画像表示部２９に供給される。二画面画像表示部２９は、ライン走査とフィールド走査とが行われる画像表示面を有したものとされ、その画像表示面に、映像信号ＳＶ１があらわす画像の画面と映像信号ＳＶ２があらわす画像の画面とが、垂直方向に伸びる境界線を成す、ディジタル画像ミュート信号ＤＭに基づく画像ミュート部を挾んで、左右方向に相互隣接配置されるものとして形成される。即ち、二画面画像表示部２９において、二画面画像表示用映像信号ＳＺに基づく二画面画像表示が行われるのであり、インターレース状態識別部２３からの識別信号ＣＭが正極性を有しており、映像信号入力端子１０に映像信号ＳＶ１が供給されているとともに映像信号入力端子１１に映像信号ＳＶ２が供給されている状態にあるときには、図４に示される如く、ディジタル画像ミュート信号ＤＭに基づく縦線状画像ミュート部ＺＭにより区画された二画面のうちの左側に映像信号ＳＶ１があらわす画像Ｉが表示されるとともに、二画面のうちの右側に映像信号ＳＶ２があらわす画像Ｎが表示される状態がとられ、また、インターレース状態識別部２３からの識別信号ＣＭが負極性を有しており、映像信号入力端子１０に映像信号ＳＶ２が供給されているとともに映像信号入力端子１１に映像信号ＳＶ１が供給されている状態にあるときには、図５に示される如く、ディジタル画像ミュート信号ＤＭに基づく縦線状画像ミュート部ＺＭにより区画された二画面のうちの左側に映像信号ＳＶ２があらわす画像Ｎが表示されるとともに、二画面のうちの右側に映像信号ＳＶ１があらわす画像Ｉが表示される状態がとられる。
【００５３】
従って、このようにして二画面画像表示部２９において表示される二画面画像は、インターレース信号である映像信号ＳＶ１があらわす画像Ｉが、その各フレーム期間分を形成する奇数フィールド期間分及び偶数フィールド期間分のうちの一方のみに基づくものとされることになる事態が回避され、必ずその各フレーム期間分を形成する奇数フィールド期間分及び偶数フィールド期間分の両者に基づくものとされ、それにより、二画面画像を形成する二つの画像の夫々が、動きが不自然なものとされることなく、適正に得られることになる。また、二画面画像表示部２９において表示される二画面画像は、常時、映像信号入力端子１０に供給された映像信号ＳＶ１もしくはＳＶ２があらわす画像が左側に配されるとともに、映像信号入力端子１１に供給された映像信号ＳＶ２もしくはＳＶ１があらわす画像が右側に配されて構成されることになり、装置の使用者が混乱を生じる事態が回避される。
【００５４】
斯かるもとで、映像信号選択制御部１２，タイミング信号形成部２１，インターレース状態識別部２３等を含む部分は、映像信号入力端子１０及び１１に供給される映像信号ＳＶ１及びＳＶ２のうちの、インターレース信号である方のものである映像信号ＳＶ１を、常時、Ａ／Ｄ変換部１３に供給される第１の映像信号となすべく、映像信号ＳＶ１及びＳＶ２についての伝送状態を制御する信号伝送制御部を構成している。
【００５５】
【発明の効果】
以上の説明から明らかな如くに、本発明に係る画像表示装置にあっては、第１の映像信号の各フレーム期間分に含まれる複数のライン期間分を、ラインメモリ部を用いて時間軸圧縮することにより第１の時間軸圧縮信号を得るとともに、第２の映像信号の各フレーム期間分に含まれる複数のライン期間分を、フレームメモリ部を用いて、第１の映像信号の同期信号に同期したタイミングをもって時間軸圧縮し、第１の時間軸圧縮信号に同期した第２の時間軸圧縮信号を得て、第１及び第２の時間軸圧縮信号を合成することにより二画面画像表示用映像信号を得るにあたり、第１及び第２の映像信号とされる二つの映像信号が一方がノンインターレース信号で他方がインターレース信号とされるときには、常時、二つの映像信号のうちのインターレース信号である方のものを第１の映像信号とすべく、二つの映像信号についての伝送制御が行われる。その結果、得られる二画面画像表示用映像信号が、第１及び第２の映像信号とされる二つの映像信号のうちのインターレース信号である方のものが基準とされて形成されることになる。
【００５６】
それゆえ、このような二画面画像表示用映像信号に応じて二画面画像表示部により表示される二画面画像においては、インターレース信号とされる第１の映像信号があらわす画像が、その各フレーム期間分を形成する奇数フィールド期間分及び偶数フィールド期間分のうちの一方のみに基づくものとされることになる事態が回避され、必ずその各フレーム期間分を形成する奇数フィールド期間分及び偶数フィールド期間分の両者に基づくものとされて、二画面画像を形成する二つの画像の夫々が、動きが不自然なものとされることなく、適正に得られることになる。
【図面の簡単な説明】
【図１】本発明に係る画像表示装置の一例を示すブロック構成図である。
【図２】図１に示される例の動作説明に供されるタイムチャートである。
【図３】図１に示される例の動作説明に供されるタイムチャートである。
【図４】図１に示される例の動作説明に供される二画面画像表示状態を示す概念図である。
【図５】図１に示される例の動作説明に供される二画面画像表示状態を示す概念図である。
【図６】ラインメモリを用いた映像信号の時間軸圧縮の説明に供されるタイムチャートである。
【図７】フレームメモリを用いた映像信号の時間軸圧縮の説明に供されるタイムチャートである。
【符号の説明】
１０，１１    映像信号入力端子
１２    映像信号選択制御部
１３，１４    Ａ／Ｄ変換部
１５    ラインメモリ部
１６    フレームメモリ部
１７，１８    フィールドメモリ部
１９，２０    同期信号分離部
２１，２２    タイミング信号形成部
２３    インターレース状態識別部
２４    ディジタル映像信号選択制御部
２５    信号選択部
２６    画像ミュート信号発生部
２７    Ｄ／Ａ変換部
２８    ＬＰＦ
２９    二画面画像表示部
【図１】
0003588866.tif 000002
【図２】
0003588866.tif 000003
【図３】
0003588866.tif 000004
【図４】
0003588866.tif 000005
【図５】
0003588866.tif 000006
【図６】
0003588866.tif 000007
【図７】
0003588866.tif 000008